(57)【特許請求の範囲】
【請求項１】
各ドットを各々構成する複数個のＬＥＤをドットマトリクス状に配列したドットマトリクス型ＬＥＤ表示ユニットと、
このドットマトリクス型ＬＥＤ表示ユニットを発光駆動する表示駆動手段と、
入力表示データを入力クロックの立ち下がりでラッチし、ラッチした前記入力表示データを前記入力クロックの前記立ち下がりの直後の立ち上がりで再度ラッチし出力する信号送受信手段と、
前記入力クロックの立ち下がりでラッチされた入力表示データをもとに前記表示駆動手段を制御する表示制御手段とを備えてなることを特徴とするＬＥＤ表示装置。
【発明の詳細な説明】
【０００１】
【産業上の利用分野】
本発明は、簡単な文字情報だけを映し出すものから、テレビジョン受像機やＶＴＲの画像等を高品位に映し出すことにも利用できるＬＥＤ表示装置に関するものである。
【０００２】
【従来の技術】
近年、天気予報や降水確率等の文字情報表示や、スポーツ、レジャー施設での映像表示や案内表示に各種ＬＥＤ表示システムが使用され始めている。これらのＬＥＤ表示システムは、用途に応じて大型のフルカラーシステムから単色の文字だけを表示する比較的小型の表示システムまで各種あるが、いずれも基本となるドット数を有する１つのＬＥＤ表示装置（通常は１６ドット×１６ドット）を複数枚接続することによりシステムが構成されている。
【０００３】
以下に従来のＬＥＤ表示装置について説明する。図４は従来のＬＥＤ表示装置の構成を示すブロック図である。従来のＬＥＤ表示装置９において、２はドットマトリクス上に配列したドットマトリクス型ＬＥＤ表示ユニット、３はドットマトリクス型ＬＥＤ表示ユニットを発光駆動する表示駆動手段、５は入力制御線や入力表示データを入力クロックでそれぞれラッチするラッチ手段、７はインバータ、８は入力制御線や入力表示データをもとに表示駆動手段３を制御する表示制御手段である。
【０００４】
以上のように構成された従来のＬＥＤ表示装置について、以下にその動作を図４を参照しながら説明する。図４において表示信号発生源（図示せず）からの入力制御線Ａ、Ｂや入力表示データは、入力クロックによりラッチ手段５でラッチされる。このラッチされた制御線Ａ、Ｂに従い表示制御手段８は入力表示データに対応して表示駆動手段３を制御し、表示駆動手段３を介してドットマトリクス型ＬＥＤ表示ユニット２を発光駆動する。
【０００５】
またこのＬＥＤ表示装置を複数枚接続して所定のＬＥＤ表示システムを構成するために各ＬＥＤ表示装置で共通になる入力制御線Ａ、Ｂや入力表示データはそのまま出力制御線Ａ、Ｂや出力表示データとして出力される。
【０００６】
【発明が解決しようとする課題】
しかしながら上記従来の構成では、ＬＥＤ表示装置を複数枚接続して表示システムを構成した場合、図５に示すタイミングチャートに示されるように、入力された制御線Ａ、Ｂやクロックをそのままスルーしただけの出力制御線Ａ、Ｂや出力クロックとの間には各信号の接続される負荷容量や配線容量の違いにより遅延Ａや遅延Ｂが発生する。また、これらの遅延は通常ハーネスで接続されるＬＥＤ表示装置間の接続部でも発生するため、基準になるクロックと各入力制御線や入力表示データとのタイミング関係が接続枚数、接続状況や外部環境に応じて異なるので、場合によってはタイミングのずれが生じ誤動作が発生する可能性があった。
【０００７】
また、図６のように複数枚を接続したＬＥＤ表示システムでは信号発生源側に各ＬＥＤ表示装置で共通の信号に対しては接続枚数に応じた駆動能力のあるドライバーが必要となり、さらに多数枚が接続される大型のＬＥＤ表示システムでは、ＬＥＤ表示装置間にもドライバーが必要となるため、ドライバー自身の遅延を考慮する必要があるととともに、またＬＥＤ表示システム全体のコストアップになるという問題点を有していた。
【０００８】
本発明は上記従来の問題点を解決するもので、各ＬＥＤ表示装置間を高信頼性でインターフェースでき、かつＬＥＤ表示装置間にドライバーを設けることのないＬＥＤ表示装置を提供することを目的とする。
【０００９】
【課題を解決するための手段】
この目的を達成するために本発明の請求項１のＬＥＤ表示装置は、各ドットを各々構成する複数個のＬＥＤをドットマトリクス状に配列したドットマトリクス型ＬＥＤ表示ユニットと、このドットマトリクス型ＬＥＤ表示ユニットを発光駆動する表示駆動手段と、入力表示データを入力クロックの立ち下がりでラッチし、ラッチした前記入力表示データを前記入力クロックの前記立ち下がりの直後の立ち上がりで再度ラッチし出力する信号送受信手段と、前記入力クロックの立ち下がりでラッチされた入力表示データをもとに前記表示駆動手段を制御する表示制御手段とを備えた構成を有している。
【００１１】
【作用】
この構成によって、ＬＥＤ表示装置間の各制御線や表示データを正確かつ十分マージンが確保できるタイミングでインターフェースでき、また各ＬＥＤ表示装置同士をダイレクトに接続できる。
【００１２】
【実施例】
以下本発明の一実施例におけるＬＥＤ表示装置について図面を参照しながら説明する。図１は本発明の一実施例におけるＬＥＤ表示装置の構成を示すブロック図であり、図１の本発明の一実施例のＬＥＤ表示装置１において、２はドットマトリクス上に配列したドットマトリクス型ＬＥＤ表示ユニット、３はドットマトリクス型ＬＥＤ表示ユニット２を発光駆動する表示駆動手段、４は信号送受信手段ブロック全体を示し、このブロックは入力制御線や入力表示データを入力クロックでそれぞれラッチする第１のラッチ手段５と、第１のラッチ手段５の各出力を前記入力クロックの逆相でラッチしそれぞれ出力制御線や出力表示データとして出力する第２のラッチ手段６とインバータ７とから構成されている信号送受信手段である。最後に８は入力制御線や入力表示データをもとに表示駆動手段３を制御する表示制御手段である。
【００１３】
以上のように構成された本発明の実施例のＬＥＤ表示装置について、以下にその動作を説明する。
【００１４】
まず、図１において表示信号発生源（図示せず）からの入力制御線Ａ、Ｂや入力表示データは、第１のラッチ手段５でラッチされる。このラッチされた制御線Ａ、Ｂに従い表示制御手段８は入力表示データに対応して表示駆動手段３を制御し、表示駆動手段３を介してドットマトリクス型ＬＥＤ表示ユニット２を発光駆動する。
【００１５】
またこのＬＥＤ表示装置１を複数枚接続して所定のＬＥＤ表示システムを構成するために第１のラッチ手段５でラッチされた制御線Ａ、Ｂや入力表示データを第１のラッチ手段５のラッチしたクロックと逆相でラッチしこれを出力する。
【００１６】
ここで図２のタイミングチャートを参照しながら動作を詳しく説明する。今、ＬＥＤ表示装置に入力される制御線Ａ、Ｂや入力表示データと入力クロックの関係が図に示すタイミング関係にあるとする。即ち、制御線Ａ、Ｂや入力表示データは入力されるクロックの立ち上がりに同期しているものとする。この時、制御線Ａは第１のラッチ手段５において図中入力クロックの１の立ち下がりでラッチされ（この第１のラッチ手段５はクロックの２の立ち上がりで入力信号をラッチするのであるが、図１に示すインバータ７で入力クロックが反転されているので見かけ上入力クロックの１の立ち下がりでラッチされたように見える。）、中間制御線Ａとして図示するタイミングで出力される。次に、この中間制御線Ａは第２のラッチ手段６において図中入力クロックの２の立ち上がりでラッチされ、出力制御線Ａとして図示するタイミングでこのＬＥＤ表示装置１から出力される。このため出力制御線Ａは入力クロックの２の立ち上がりに同期していることになる。同様に制御線Ｂや入力表示データも図示するタイミングでラッチされ、その後その逆相のクロックに同期して出力される。このため、入力制御線Ａ、Ｂや入力表示データと出力制御線Ａ、Ｂや出力表示データの関係は入力クロックに対して１サイクルずれただけになる。
【００１７】
次に上記タイミングを有するＬＥＤ表示装置１を複数枚を接続した場合、図３に示すような構成になる。なぜならＬＥＤ表示装置１の全ての入力Ｉ／Ｆ、出力Ｉ／Ｆはそれぞれ同じであり、また出力Ｉ／Ｆと入力Ｉ／Ｆはクロックの立ち上がりで同期して出力されまたクロックの立ち下がりでラッチ入力される関係なのでクロックの半周期に相当するマージンが２つのＬＥＤ表示装置間に確保されたタイミングでインターフェースできることになる。
【００１８】
さらにＬＥＤ表示装置間の各信号は接続される隣のＬＥＤ表示装置だけを駆動すればよいので、例え多数枚を用いて大型の表示システムを構成する場合でも特別にドライバーを設ける必要もなくなる。
【００１９】
【発明の効果】
以上のように本発明は、ＬＥＤ表示装置を複数枚用いて大型の表示システムを構成する場合でも、ＬＥＤ表示装置間の各制御線や表示データを十分マージンが確保できるタイミングでインターフェースできるので信頼性が高いシステムを構成できる。またＬＥＤ表示装置間に特別にドライバーを設ける必要もなくなるので、表示システム全体が低価格で構成できる。
【図面の簡単な説明】
【図１】本発明の一実施例におけるＬＥＤ表示装置の構成を示すブロック図
【図２】本発明の一実施例におけるＬＥＤ表示装置におけるタイミングチャート
【図３】本発明の一実施例におけるＬＥＤ表示装置を複数用いて表示システムを構成した場合のシステム構成例を示す図
【図４】従来のＬＥＤ表示装置の構成を示すブロック図
【図５】従来のＬＥＤ表示装置におけるタイミングチャート
【図６】従来のＬＥＤ表示装置を複数用いて表示システムを構成した場合のシステム構成例を示す図
【符号の説明】
１  ＬＥＤ表示装置
２  ドットマトリクス型ＬＥＤ表示ユニット
３  表示駆動手段
４  信号送受信手段
５  第１のラッチ手段
６  第２のラッチ手段
７  インバータ
８  表示制御手段
【図１】
0003908797.tif 000002
【図２】
0003908797.tif 000003
【図３】
0003908797.tif 000004
【図４】
0003908797.tif 000005
【図５】
0003908797.tif 000006
【図６】
0003908797.tif 000007